(57)【特許請求の範囲】
【請求項１】
原稿台上に配置された原稿の画像を読み取るための画像読取部を有する装置本体と、
前記原稿台を覆うことが可能なカバー本体部と、
該カバー本体部を含む平面内における一方向の直線を第１の支軸として前記カバー本体部を回動可能に支持する第１のカバー支持部と、
前記一方向の直線と略直交する他方向の直線を第２の支軸として前記カバー本体部を回動可能に支持する第２のカバー支持部と、
前記第１のカバー支持部及び前記第２のカバー支持部が前記装置本体に対し分離可能に構成された原稿カバーと、を備え、
前記第１のカバー支持部に、前記装置本体と係合可能な第１の係合部が設けられているとともに、
前記第２のカバー支持部に、前記装置本体と係合可能な第２の係合部が設けられ、
前記第１の係合部は、前記カバー本体部の前記第１の支軸を中心として開く方向の移動に伴って、前記装置本体と固定されるように構成されているとともに、
前記第２の係合部は、前記カバー本体部の前記第２の支軸を中心として開く方向の移動に伴って、前記装置本体と固定されるように構成されていることを特徴とする画像読取装置。
【請求項２】
前記第１の係合部及び前記第２の係合部は、前記カバー本体部の閉じる方向の移動に伴って、前記装置本体との固定が解除されるように構成されていることを特徴とする請求項１記載の画像読取装置。
【発明の詳細な説明】
【０００１】
【発明の属する技術分野】
本発明は、例えば、原稿台上に載置された原稿の画像を読み取る画像読取装置に関し、特に、原稿台に対し原稿を押さえ付けるための原稿カバーを備えた画像読取装置に関する。
【０００２】
【従来の技術】
一般に、原稿の画像を読み取る装置として、原稿に光を照射してその反射光をイメージセンサによって電気信号に変換することにより、原稿の画像情報として読み取るようにした画像読取装置が知られている。
【０００３】
このような従来の画像読取装置においては、その装置本体の上面に、ほぼ全面にわたってステージガラスが設けられ、このステージガラスを覆うように原稿カバーが設けられている。この原稿カバーは、装置本体の上面における一方の縁部分にほぼ沿って設けられた支軸を中心に、開閉可能に支持されている。
【０００４】
そして、上述の画像読取装置においては、原稿カバーを開くと、原稿をステージガラス上に載置可能な状態になる一方、原稿カバーを閉じると、原稿をステージガラスに押え付けるようになっている。
【０００５】
【発明が解決しようとする課題】
しかしながら、従来の画像読取装置においては、次のような問題があった。
【０００６】
すなわち、従来技術にあっては、原稿として例えば厚手の本を原稿カバーの支軸側の周辺に載置した場合に原稿カバーが本に片当たりして原稿カバーを完全に閉じることができず、そのため、本の見開き部分をステージガラスに対し均一に押さえ付けることができないという問題があった。
【０００７】
また、原稿カバーの開閉する操作を行いやすくするためには、原稿カバーの開閉する側に作業空間を確保しなければならず、その結果、画像読取装置を設置する向きが限られてしまうという問題もあった。
【０００８】
本発明は、このような従来の技術の課題を解決するためになされたもので、その目的は、原稿の厚みによらず原稿を原稿台にほぼ均一に押さえ付けることができる画像読取装置を提供することにある。
【０００９】
また、本発明の他の目的は、原稿カバーの開閉の操作性を確保しつつ、設置する向きを自由に選択することができる画像読取装置を提供するところにもある。
【００１０】
【課題を解決するための手段】
上記目的を達成するためになされた本発明は、原稿台上に配置された原稿の画像を読み取るための画像読取部を有する装置本体と、原稿台を覆うことが可能なカバー本体部を有するとともに、カバー本体部を含む平面内における一方向の直線を第１の支軸としてカバー本体部を回動可能に支持する第１のカバー支持部及び前記一方向の直線と略直交する他方向の直線を第２の支軸としてカバー本体部を回動可能に支持する第２のカバー支持部を有し、第１のカバー支持部及び第２のカバー支持部が装置本体に対し分離可能に構成された原稿カバーとを備えたことを特徴とする画像読取装置である。
【００１１】
本発明の場合、原稿カバーは、そのカバー本体部を、第２のカバー支持部とともに第１の支軸を中心に開閉する場合と、第１のカバー支持部とともに第２の支軸を中心に開閉する場合とに選択することができる。
【００１２】
本発明において、原稿台上の第１の支軸の周辺部分に、例えば、本のような厚手の原稿を載置しようとする場合、第２の支軸を中心にカバー本体部を開いてから原稿を当該部分に載置する。そして、カバー本体部を閉じて装置本体側に押さえ付けながら、画像読取部に原稿の画像を読み取らせる。この場合、カバー本体部は、原稿に対し、第１の支軸よりも離れた第２の支軸を中心に開閉するため、原稿を挟んで閉じられたカバー本体部と、原稿台との隙間を可能な限り小さくすることができる。
【００１３】
また、原稿台上の第２の支軸の周辺部分に上記厚手の原稿を載置しようとする場合、第１の支軸を中心にカバー本体部を開いてから、以下、上記同様に、原稿を挟んで閉じられたカバー本体部と、原稿台との隙間を可能な限り小さくすることができる。
【００１４】
したがって、本発明によれば、原稿が本のように厚い場合にあっては、原稿を原稿台上に載置する位置によって、カバー本体部の開く方向を、第１の支軸を中心にした開閉方向と、第２の支軸を中心にした開閉方向とに選択することにより、カバー本体部は、載置された原稿からより離れた一方の支軸を中心に開閉することができる。その結果、厚みのある原稿を挟んでもカバー本体部を原稿台に対しほぼ平行になる位置に配置することができるため、原稿を原稿台上に均一に押さえ付けることができる。
【００１５】
また、本発明によれば、カバー本体部の開閉方向を上記２方向のうちから選択できるようにしたことから、カバー本体部の開閉する方向に束縛されることなく、画像読取装置の設置する向きを自由に選択することができる。
【００１６】
また、本発明は、第１のカバー支持部に、装置本体と係合可能な第１の係合部が設けられているとともに、第２のカバー支持部に、装置本体と係合可能な第２の係合部が設けられ、第１の係合部は、カバー本体部の第１の支軸を中心とする開く方向の移動に伴って、装置本体と固定されるように構成されているとともに、第２の係合部は、カバー本体部の第２の支軸を中心とする開く方向の移動に伴って、装置本体と固定されるように構成されていることも効果的である。
【００１７】
本発明の場合、カバー本体部を第１の支軸を中心に開くと、第１のカバー支持部の第１の係合部が装置本体に固定される。また、カバー本体部を第２の支軸を中心に開くと、第２のカバー支持部の第２の係合部が装置本体に固定される。
【００１８】
したがって、本発明によれば、カバー本体部が、第１のカバー支持部又は第２のカバー支持部のいずれか一方とともに開閉する場合、開閉しない当該他方を自動的に装置本体に固定するようにしたことから、安定した開閉動作を行うことができる。
【００１９】
さらに、本発明は、第１の係合部及び第２の係合部は、カバー本体部の閉じる方向の移動に伴って装置本体との固定が解除されるように構成されていることも効果的であり、本発明によれば、カバー本体部を閉じるだけで、カバー本体部を、第１の支軸又は第２の支軸のいずれをも回動中心として開閉できる状態にすることができる。
【００２０】
【発明の実施の形態】
以下、本発明に係る画像読取装置の実施の形態を図面を参照して詳細に説明する。
【００２１】
図１は、本実施の形態の画像読取装置の概略構成を示す斜視図である。図２（ａ）は、同画像読取装置の概略構成を示す平面図であり、図２（ｂ）は、同画像読取装置の概略構成を示す正面図であり、図２（ｃ）は、同画像読取装置の概略構成を示す右側面図である。
【００２２】
また、図３（ａ）は、本実施の形態のカバー着脱機構部の概略構成を示す斜視図であり、図３（ｂ）は、同カバー着脱機構部の概略構成を示す側面図である。図４（ａ）は、同カバー着脱機構部の第１係合バーが固定された状態を示す斜視図であり、図４（ｂ）は、同第１係合バーが固定された状態を示す側面図である。図５（ａ）は、同カバー着脱機構部の第２係合バーが固定された状態を示す斜視図であり、図５（ｂ）は、同第２係合バーが固定された状態を示す側面図である。一方、図６は、本実施の形態における他のカバー着脱機構部の概略構成を示す側面図である。
【００２３】
図１に示すように、本実施の形態の画像読取装置１は、略直方体形状の装置本体１０と、略長方形板状の原稿カバー３０とを有している。本実施の形態の場合、この原稿カバー３０は、後述するカバー着脱機構部４０又は第２カバー解除機構部４１により装置本体１０に対して開閉でき、また、装置本体１０から着脱できるようになっている。
【００２４】
図１に示すように、装置本体１０は、例えば樹脂等を用いて略箱形状に形成された本体ケーシング１１を有している。図２（ａ）に示すように、この本体ケーシング１１の上面には、長方形状のステージガラス（原稿台）１２が埋め込まれている。また、本体ケーシング１１の内部には、詳細は図示しないが、例えばライン型イメージセンサを有するスキャナ機構部（画像読取部）２１が、図に示すＸ方向に往復動可能に設けられている。このスキャナ機構部２１は、Ｘ方向に移動しながら図に示すＹ方向と平行なラインごとの情報を読み取ることによって、ステージガラス１２上に載置された原稿の画像を読み取るように構成されている。
【００２５】
図１又は図２（ａ）に示すように、原稿カバー３０は、例えば樹脂等からなり、本体ケーシング１１の上面の外形とほぼ同じ大きさに形成されている。そして、原稿カバー３０は、カバー本体部３１と、第１サイドカバー部（第１のカバー支持部）３２と、第２サイドカバー部（第２のカバー支持部）３３と、コーナーカバー部３４とを有している。
【００２６】
カバー本体部３１は、ステージガラス１２の外形より幾分大きな長方形状に形成され、図２（ａ）に示すように、その長辺方向（Ｘ方向）の一方の縁部分には、第１ヒンジ凸部３１ａが設けられている。一方、第１サイドカバー部３２は、カバー本体部３１のＸ方向の長さと同一長さをもつ長尺の長方形状に形成され、そのＸ方向の一方の縁部分には、第１ヒンジ凸部３１ａと嵌合可能な第１ヒンジ凹部３２ａが設けられている。そして、カバー本体部３１と第１サイドカバー部３２とは、それぞれの第１ヒンジ凸部３１ａと第１ヒンジ凹部３２ａとがはまり合いこれらを支軸（以下、「第１支軸３５」という。）として、互いに回動可能に連結されている。
【００２７】
また、カバー本体部３１の短辺方向（Ｙ方向）の一方の縁部分には、第２ヒンジ凸部３１ｂが設けられている。一方、第２サイドカバー部３３は、カバー本体部３１のＹ方向の長さと同一長さをもつ長尺の長方形状に形成され、そのＹ方向の一方の縁部分には、第２ヒンジ凸部３１ｂと嵌合可能な第２ヒンジ凹部３３ｂが設けられている。そして、カバー本体部３１と第２サイドカバー部３３とは、それぞれの第２ヒンジ凸部３１ｂと第２ヒンジ凹部３３ｂとがはまり合いこれらを支軸（以下、「第２支軸３６」という。）として、互いに回動可能に連結されている。
【００２８】
さらに、第２支軸３６の直線上にあって第１サイドカバー部３２のＹ方向の縁部分には、第３ヒンジ凸部３２ｂが設けられている。また、第１支軸３５の直線上にあって第２サイドカバー部３３のＸ方向の縁部分には、第４ヒンジ凸部３３ａが設けられている。一方、コーナーカバー部３４は、第１サイドカバー部３２のＹ方向の長さ及び第２サイドカバー部３３のＸ方向の長さとそれぞれ同一長さをもつ略正方形状に形成されている。また、コーナーカバー部３４のＹ方向とＸ方向とのそれぞれの縁部分には、第３ヒンジ凸部３２ｂと嵌合可能な第３ヒンジ凹部３４ｂと、第４ヒンジ凸部３３ａと嵌合可能な第４ヒンジ凹部３４ａとが設けられている。そして、このコーナーカバー部３４は、その第３ヒンジ凹部３４ｂ及び第４ヒンジ凹部３３ａが、それぞれ、第１サイドカバー部３２の第３ヒンジ凸部３２ｂと、第２サイドカバー部３３の第４ヒンジ凸部３３ａとにはまり合うことで、第１サイドカバー部３２と、第２サイドカバー部３３とにそれぞれ別個に回動可能に連結されている。
【００２９】
このような構成により、本実施の形態の原稿カバー３０は、カバー本体部３１及び第２サイドカバー部３３が一体として、第１サイドカバー部３２及びコーナーカバー部３４に対し、第１支軸３５を中心に回動するようになっている。また、この原稿カバー３０は、カバー本体部３１及び第１サイドカバー部３２が一体として、第２サイドカバー部３３及びコーナーカバー部３４に対し、第２支軸３６を中心に回動するようになっている。
【００３０】
なお、図１に示すように、カバー本体部３１の第１支軸３５と反対側の縁部分には、原稿カバー３０を開閉するための第１挿入口３７が形成されている。また、カバー本体部３１の第２支軸３６と反対側の縁部分には、原稿カバー３０を開閉するための第２挿入口３８が形成されている。
【００３１】
図２（ａ）〜図２（ｃ）及び図３（ａ）（ｂ）に示すように、カバー着脱機構部４０は、原稿カバー３０側に設けられた第１係合バー（第１の係合部）５１及び第２係合バー（第２の係合部）５２と、装置本体１０側に設けられた係合機構部６０とから構成されている。
【００３２】
第１係合バー５１及び第２係合バー５２は、テーパ状の先端部を有する棒形状に形成され、原稿カバー３０の裏側（装置本体１０と対向する側）に、原稿カバー３０と直交する方向（図に示すＺ方向）と平行になるように固定されている。第１係合バー５１は、原稿カバー３０の隅部分にあって第１サイドカバー部３２のコーナーカバー部３４と反対側の端部（以下、「第１コーナー部Ｃ１」という。装置本体１０においても同じ。）に配置されている。また、第２係合バー５２は、原稿カバー３０の隅部分にあって第２サイドカバー部３３のコーナーカバー部３４と反対側の端部（以下、「第２コーナー部Ｃ２」という。装置本体１０においても同じ。）に配置されている。
【００３３】
他方、装置本体１０のＸ方向における第２コーナー部Ｃ２と反対側の隅部（以下、「第３コーナー部Ｃ３」という。）には、プーリ軸５５が設けられ、このプーリ軸５５には、２個の第１プーリ５６及び第２プーリ５７が回動自在に支持されている。そして、上記係合機構部６０は、第１プーリ５６を介した第１スライド係合部７１と、第２プーリ５７を介した第２スライド係合部８１とから構成されている。
【００３４】
第１スライド係合部７１は、第１コーナー部Ｃ１に配設された第１係合スライダー７２と、第２コーナー部Ｃ２に配設された第２当接スライダー７３とを有している。これら第１係合スライダー７２及び第２当接スライダー７３は、ともに同一大きさの略円柱状に形成され、それらの側面には、棒状の係止部７２ａ、７３ａが、それぞれ設けられている。そして、第１係合スライダー７２と第２当接スライダー７３とは、それぞれの係止部７２ａ、７３ａに第１ワイヤ７４の各端部が係止され、かつ、その第１ワイヤ７４が第１プーリ５６により第３コーナー部Ｃ３を経由して引き回されることで、互いに連結されている。さらに、第１係合スライダー７２の係止部７２ａと本体ケーシング１１とには、第１引っ張りコイルばね７５が掛けられている。
【００３５】
また、第１スライド係合部７１は、第１係合スライダー７２及び第２当接スライダー７３と、それぞれ嵌合可能な有底筒状のスライダーガイド部７６、７７を２個有している。一方のスライダーガイド部７６は、第１係合スライダー７２をＹ方向に移動できるように収容した状態で、第１コーナー部Ｃ１に配置されている。他方のスライダーガイド部７７は、第２当接スライダー７３をＸ方向に移動できるように収容した状態で、第２コーナー部Ｃ２に配置されている。
【００３６】
一方、第２スライド係合部８１は、第２コーナー部Ｃ２に配設された第２係合スライダー８２と、第１コーナー部Ｃ１に配設された第１当接スライダー８３とを有している。これら第２係合スライダー８２及び第１当接スライダー８３は、ともに同一大きさの略円柱状に形成され、それらの側面には、棒状の係止部８２ａ、８３ａが、それぞれ設けられている。そして、第２係合スライダー８２と第２当接スライダー８３とは、それぞれの係止部８２ａ、８３ａに第２ワイヤ８４の各端部が係止され、かつ、その第２ワイヤ８４が第２プーリ５７により第３コーナー部Ｃ２を経由して引き回されることで、互いに連結されている。さらに、第２係合スライダー８２の係止部８２ａと本体ケーシング１１とには、Ｘ方向において第２引っ張りコイルばね８５が掛けられている。
【００３７】
また、第２スライド係合部８１は、第２係合スライダー８２及び第１当接スライダー８３と、それぞれ嵌合可能な有底筒状のスライダーガイド部８６、８７を２個有している。ここで、一方のスライダーガイド部８６は、第２係合スライダー８２をＸ方向に移動できるように収容した状態で、第２コーナー部Ｃ２に配置されている。他方のスライダーガイド部８７は、第１当接スライダー８３をＹ方向に移動できるように収容した状態で、第１コーナー部Ｃ１に配置されている。
【００３８】
ここで、第１コーナー部Ｃ１において、第１スライド係合部７１のスライダーガイド部７６と、第２スライド係合部８１のスライダーガイド部８７とは、それぞれの開口部が対向した状態で、原稿カバー３０の第１係合バー５１の外径より若干大きい間隔だけ離れて配置されている。一方、第１係合バー５１の側面における第１係合スライダー７２と当接すべき部位には、第１係合スライダー７２と係合可能な係合溝５１ａが形成されている。また、第２コーナー部Ｃ２においても同様に、第２スライド係合部８１のスライダーガイド部８６と、第１スライド係合部７１のスライダーガイド部７７とは、それぞれの開口部が対向した状態で、原稿カバー３０の第２係合バー５２の外径より若干大きい間隔だけ離れて配置されている。一方、第２係合バー５２の側面における第２係合スライダー８２と当接すべき部位には、第２係合スライダー８２と係合可能な係合溝５２ａが形成されている。
【００３９】
さらに、第１ワイヤ７４の長さは、第２当接スライダー７３が第２係合バー５２に当接した状態において、第１係合スライダー７２がスライダーガイド部７６内に収まって第１係合バー５１の係合溝５１ａ側にはみ出さない位置に、第１係合スライダー７２を保持できる長さに設定されている。また、第２ワイヤ８４の長さも同様に、第１当接スライダー８３が第１係合バー５１に当接した状態において、第２係合スライダー８２がスライダーガイド部８６内に収まって第２係合バー５２の係合溝５２ａ側にはみ出さない位置に、第２係合スライダー８２を保持できる長さに設定されている。
【００４０】
図２（ａ）又は図６に示すように、第２カバー着脱機構部４１は、原稿カバー３０側に設けられた第３係合バー５３と、装置本体１０の第３コーナー部Ｃ３と対角上の隅部分に設けられた第２係合機構部６１とから構成されている。
【００４１】
第３係合バー５３は、テーパ状の先端部を有する棒形状に形成され、原稿カバー３０のコーナーカバー部３４の裏側に、原稿カバー３０のＺ方向と平行になるように固定されている。一方、第２係合機構部６１は、Ｚ方向と直交する方向に延びる有底筒状の玉保持部９１と、その玉保持部９１内で移動可能な係合玉９２と、玉保持部９１の開口部から係合玉９２が若干はみ出した状態で、係合玉９２を付勢するための圧縮コイルばね９３とから構成されている。玉保持部９１は、その開口部が装置本体１０側に挿入された状態での第３係合バー５３の側面と近接するように配置されている。そして、第３係合バー５３の側面における係合玉９２と当接すべき部位には、係合玉９２と係合可能な係合溝５３ａが形成されている。
【００４２】
かかる構成を有する本実施の形態の場合、原稿をステージガラス１２に載置しようとする段階では、原稿カバー３０は、装置本体１０に装着されている。つまり、図３（ａ）（ｂ）に示すように、原稿カバー３０の第１係合バー５１及び第２係合バー５２は、それぞれ、装置本体１０の第１コーナー部Ｃ１側の係合機構部６０と、第２コーナー部Ｃ２側の係合機構部６０とに装填されている。また、図６に示すように、原稿カバー３０の第３係合バー５３は、装置本体１０の第２係合機構部６１に装填されている。
【００４３】
この場合、第１係合バー５１は、第１スライド係合部７１のスライダーガイド部７６と、第２スライド係合部８１のスライダーガイド部８７との間に配置されている。一方、第２係合バー５２は、第２スライド係合部８１のスライダーガイド部８６と、第１スライド係合部７１のスライダーガイド部７７との間に配置されている。そして、第１スライド係合部７１の第２当接スライダー７３が、第１引っ張りコイルばね７５の付勢力により生じる第１ワイヤ７４の張力によってＸ方向の第１プーリ５６に接近する側に引っ張られることで第２係合バー５２に当接している。これにより、第１スライド係合部７１の第１係合スライダー７２は、第１引っ張りコイルばね７５の付勢力と、第１ワイヤ７４のＹ方向における第１プーリ５６に接近する向きの張力とがつり合った状態で保持されてスライダーガイド部７６内に収まっている。
【００４４】
また、第２スライド係合部８１も同様に、この第１当接スライダー８３が、第２引っ張りコイルばね８５の付勢力により生じる第２ワイヤ８４の張力によってＹ方向の第２プーリ５７に接近する側に引っ張られることで第１係合バー５１に当接している。これにより、第２スライド係合部８１の第２係合スライダー８２は、第２引っ張りコイルばね８５の付勢力と、第２ワイヤ８４のＸ方向における第２プーリ５７に接近する向きの張力とがつり合った状態で保持されてスライダーガイド部８６内に収まっている。
【００４５】
一方、第３係合バー５３は、この係合溝５３ａに、圧縮コイルばね９３によって付勢された係合玉９２がはまることで、装置本体１０と係合している。
【００４６】
図２（ａ）に示すように、例えば、ステージガラス１２上における第２コーナー部Ｃ２側又は第３コーナー部Ｃ３側に、本のような厚手の原稿を載置しようとする場合、図１又は図２（ｃ）に示すように、原稿カバー３０の第１挿入口３７に指を挿入し、カバー本体部３１を第２サイドカバー３３とともに持ち上げて第１支軸３５を中心に開く。第２サイドカバー３３の回転に伴って、第２係合バー５２が、スライダーガイド部８６とスライダーガイド部７７との間から抜けると、第１スライド係合部７１が作動する。
【００４７】
この場合において、図４（ａ）（ｂ）に示すように、第２当接スライダー７３と第２係合バー５２との当接が解除されることで、第１引っ張りコイルばね７５の付勢力により、第２当接スライダー７３が、スライダーガイド部７７からはみ出てＸ方向の第１プーリ５６に接近する向きに移動するとともに、第１係合スライダー７２が、スライダーガイド部７６からはみ出てＹ方向の第１係合バー５１に接近する向きに移動する。そして、第１係合スライダー７２が、第１係合バー５１の係合溝５１ａにはまることで、第１係合バー５１は、装置本体１０と係合する。
【００４８】
この第１係合バー５１の装置本体１０との係合及び上記第３係合バー５３の装置本体１０との係合により、第１サイドカバー３２及びコーナーカバー部３４が、装置本体１０に固定される。そのため、これらの第１サイドカバー３２及びコーナーカバー部３４は、カバー本体部３１及び第２サイドカバー３３の回転に伴って装置本体１０から浮いて離れることはない。
【００４９】
そして、図２（ａ）に示すように、原稿をステージガラス１２上の第２コーナー部Ｃ２側又は第３コーナー部Ｃ３側に載置し、原稿カバー３０を閉じて装置本体１０側に押さえ付けながら、スキャナ機構部２１に原稿の画像を読み取らせる。
【００５０】
この場合において、原稿は、第１支軸３５から離れた位置に載置されているため、原稿を挟んで閉じられた原稿カバー３０と、ステージガラス１２との隙間を可能な限り小さくすることで、原稿カバーユニット３０が、原稿をステージガラス１２上にほぼ均一に押さえ付けている。
【００５１】
原稿の画像の読取処理が終了した後、原稿カバー３０を開いてから原稿を取り除き、再び、原稿カバー３０を閉じると、第２係合バー５２が、スライダーガイド部８６とスライダーガイド部７７との間に、第２当接スライダー７３と当接しながら挿入される。これにより、第２当接スライダー７３がスライダーガイド部７７内に収まるとともに、第１係合スライダー７２が第１係合バー５１の係合溝５１ａから抜けてスライダーガイド部７６内に収まる。
【００５２】
また、図２（ａ）に示すように、例えば、ステージガラス１２上における第１コーナー部Ｃ１側又は第３コーナー部Ｃ３側に、上記厚手の原稿を載置しようとする場合、図１又は図２（ｂ）に示すように、原稿カバー３０の第２挿入口３８に指を挿入し、カバー本体部３１を第１サイドカバー３２とともに持ち上げて第２支軸３６を中心に開く。第１サイドカバー３２の回転に伴って、第１係合バー５１が、スライダーガイド部７６とスライダーガイド部８７との間から抜けると、第２スライド係合部８１が作動する。
【００５３】
この場合においても上記第１スライド係合部７１と同様に、図５（ａ）（ｂ）に示すように、第１当接スライダー８３と第１係合バー５１との当接が解除されることで、第２引っ張りコイルばね８５の付勢力により、第１当接スライダー８３が、Ｙ方向の第２プーリ５７に接近する向きに移動するとともに、第２係合スライダー８２が、Ｘ方向の第２係合バー５２に接近する向きに移動する。そして、第２係合スライダー８２が、第２係合バー５２の係合溝５２ａにはまることで、第２係合バー５２は、装置本体１０と係合する。
【００５４】
この第２係合バー５２の装置本体１０との係合及び上記第３係合バーの装置本体１０との係合により、第２サイドカバー３３及びコーナーカバー部３４が、装置本体１０に固定される。そのため、これらの第２サイドカバー３３及びコーナーカバー部３４は、カバー本体部３１及び第１サイドカバー３２の回転に伴って装置本体１０から浮いて離れることはない。
【００５５】
そして、図２（ａ）に示すように、原稿をステージガラス１２上の第１コーナー部Ｃ１側又は第３コーナー部Ｃ３側に載置してから、原稿カバー３０を閉じて装置本体１０側に押さえ付ける。この場合において、原稿は、第２支軸３６から離れた位置に載置されているため、原稿を挟んで閉じられた原稿カバー３０と、ステージガラス１２との隙間を可能な限り小さくすることで、原稿カバー３０が、原稿をステージガラス１２上にほぼ均一に押さえ付けている。
【００５６】
さらに、例えば、装置本体１０の上面の外形より大きい原稿の一部を読み取る場合、原稿カバー３０の第１挿入口３７及び第２挿入口３８に指を挿入して原稿カバー３０全体を上方側に持ち上げる。
【００５７】
この場合において、第１係合バー５１が、スライダーガイド部７６とスライダーガイド部８７との間から抜けると同時に、第２係合バー５２が、スライダーガイド部８６とスライダーガイド部７７との間から抜ける。一方、第１係合バー５１及び第２係合バー５２が抜けるとほぼ同時に、第３係合バー５３は、上記第２係合機構部６１の係合玉９２を玉保持部９１内に押し入れることで、第２係合機構部６１との係合が解除されて装置本体１０側から抜ける。そして、上記原稿をステージガラス１２上にほぼ均一に押し付ける。
【００５８】
以上述べたように本実施の形態によれば、原稿が本のように厚い場合にあっては、原稿をステージガラス１２上に載置する位置によって、原稿カバー３０を、第１支軸３５を中心にした開閉方向と、第２支軸３６を中心にした開閉方向とに選択することができる。
【００５９】
つまり、第１支軸３５の近傍の第１コーナー部Ｃ１側に原稿を載置する場合には、原稿カバー３０を第２支軸３６を中心に開閉し、第２支軸３６の近傍の第２コーナー部Ｃ２側に原稿を載置する場合には、原稿カバー３０を第１支軸３５を中心に開閉することができる。また、第３コーナー部Ｃ３側に原稿を載置する場合には、当該隅部分からより離れた第２支軸３６を中心とした開閉方向を選択することができる。
【００６０】
したがって、本実施の形態によれば、厚みのある原稿を載置した位置からより離れた第１支軸３５又は第２支軸３６のいずれか一方を、原稿カバー３０の開閉方向の中心にすることによって、厚みのある原稿を挟んでも原稿カバー３０をステージガラス１２に対しほぼ平行になる位置に配置することができ、その結果、原稿をステージガラス１２上に均一に押さえ付けることができる。特に、本を見開き状態にしてその綴じ方向が、開閉方向の中心軸（第１支軸３５又は第２支軸３６）とほぼ直交するように載置すれば、原稿カバー３０を綴じる際、本が載置した位置からずれにくいという利点もある。
【００６１】
また、本実施の形態によれば、本体カバー部３１を、第１サイドカバー部３２又は第２サイドカバー部３３のいずれか一方とともに開閉できるようにし、第１サイドカバー部３２又は第２サイドカバー部３３のうち、開閉しない当該他方を、自動的に装置本体１に固定するようにしたことから、安定した開閉動作を行うことができる。
【００６２】
さらに、本実施の形態によれば、原稿カバー３０内に第１支軸３５及び第２支軸３６を設けて原稿カバー３０を装置本体１０の上面の外形と同じ大きさにするとともに、原稿カバー３０全体を装置本体１０に対し着脱できるようにしたことから、ステージガラス１２を含む装置本体１０の上面をフラットにすることができる。そのため、例えば、装置本体１０の上面の外形より大きい原稿を載置する場合でも、その原稿を折り曲げずに済むという利点がある。
【００６３】
さらにまた、本実施の形態によれば、第１支軸３５又は第２支軸３６を中心とした開閉方向のうち、いずれからでも原稿カバー３０を開いて原稿を載置できるため、原稿カバー３０の開閉する方向に束縛されることなく、画像読取装置１の設置する向きを自由に選択することができる。
【００６４】
図７は、第２の実施の形態の画像読取装置の概略構成を示す背面図である。以下、上記実施の形態と対応する部分については同一の符号を付しその詳細な説明を省略する。
【００６５】
図７に示すように、本実施の形態の画像読取装置１Ａは、上記装置本体１０と、上記原稿カバー３０とを有し、さらに、本実施の形態の装置本体１０も、上記本体ケーシング１１を有している。この本体ケーシング１１の側面のうち、第１サイドカバー３２のＸ方向の縁部分と隣接する側面（以下、「設置面１１ａ」という。）には、長方形板状の脚部材１０１、１０３が、それぞれ、固定軸１０２、１０４を支点として約９０度の範囲で回動可能に設けられている。これらの脚部材１０１、１０３は、Ｘ方向と平行になる位置にあって上記設置面１１ａ内に収まる位置（図７の実線で示す位置）と、Ｚ方向と平行になる位置にあって上記設置面１１ａの両縁からはみ出す位置（図７の２点鎖線で示す位置）とに移動できるようになっている。
【００６６】
かかる構成を有する本実施の形態において、上記設置面１１ａを下側にして画像読取装置１Ａを縦置きする場合には、脚部部材１０１、１０３を上記はみ出す位置に配置する。この脚部材７１、７３によって、画像読取装置１Ａは、原稿カバー３０の第１挿入口３７側が上を向くように支持される。そして、原稿カバー３０を第１支軸３５を中心として開き、ステージガラス１２に原稿を配置する。
【００６７】
以上述べたように本実施の形態によれば、画像読取装置１Ａを、ステージガラス１２が上側に向く通常（上記実施の形態の場合）の位置と、上記縦置き位置とに載置可能とし、それぞれの位置において原稿カバー３０を、第１支軸３５を中心とした開閉方向と、第２支軸３６を中心とした開閉方向とに選択できるようにしたことから、画像読取装置１Ａの設置する場所が十分に確保できない場合にあっても、画像読取装置１Ａを上記縦置きにして十分に対応することができる。その他の構成及び作用効果については、上記実施の形態と同一であるのでその詳細な説明は省略する。
【００６８】
なお、本発明は上述の実施の形態に限られることなく、種々の変更を行うことができる。
【００６９】
例えば、上記実施の形態において、装置本体１０の第１コーナー部Ｃ１及び第２コーナー部Ｃ２に、カバー着脱機構部４０を適用したが、第２カバー着脱機構部４１を適用して簡素な構成にすることもできる。もっとも、原稿カバー３０の安定した開閉動作を確保するという観点では、上記実施の形態のようにすることが好ましい。
【００７０】
【発明の効果】
以上述べたように本発明によれば、原稿の厚みによらず原稿を原稿台にほぼ均一に押さえ付けることができる画像読取装置を得ることができる。また、本発明によれば、原稿カバーの開閉の操作性を確保しつつ、設置する向きを自由に選択することができる画像読取装置を得ることができる。
【図面の簡単な説明】
【図１】本実施の形態の画像読取装置の概略構成を示す斜視図である。
【図２】（ａ）：同画像読取装置の概略構成を示す平面図である。
（ｂ）：同画像読取装置の概略構成を示す正面図である。
（ｃ）：同画像読取装置の概略構成を示す右側面図である。
【図３】（ａ）：本実施の形態のカバー着脱機構部の概略構成を示す斜視図である。
（ｂ）：同カバー着脱機構部の概略構成を示す側面図である。
【図４】（ａ）：同カバー着脱機構部の第１係合バーが固定された状態を示す斜視図である。
（ｂ）：同第１係合バーが固定された状態を示す側面図である。
【図５】（ａ）：同カバー着脱機構部の第２係合バーが固定された状態を示す斜視図である。
（ｂ）：同第２係合バーが固定された状態を示す側面図である。
【図６】本実施の形態における他のカバー着脱機構部の概略構成を示す側面図である。
【図７】第２の実施の形態の画像読取装置の概略構成を示す背面図である。
【符号の説明】
１０  装置本体
１２  ステージガラス（原稿台）
２１  スキャナ機構部（画像読取部）
３０  原稿カバー
３１  カバー本体部
３２  第１サイドカバー部（第１のカバー支持部）
３３  第２サイドカバー部（第２のカバー支持部）
３５  第１支軸（第１の支軸）
３６  第２支軸（第２の支軸）
５１  第１係合バー（第１の係合部）
５２  第２係合バー（第２の係合部）
【図１】
0003680634.tif 000002
【図２】
0003680634.tif 000003
【図３】
0003680634.tif 000004
【図４】
0003680634.tif 000005
【図５】
0003680634.tif 000006
【図６】
0003680634.tif 000007
【図７】
0003680634.tif 000008